【手続補正書】
【提出日】平成26年7月28日(2014.7.28)
【手続補正１】
【補正対象書類名】明細書
【補正対象項目名】００１０
【補正方法】変更
【補正の内容】
【００１０】
【図１】本発明の実施形態に係る画像形成装置を模式的に示す斜視図である。
【図２】本実施形態に係るシート給送装置を模式的に示す断面図である。
【図３】本実施形態に係る装置本体から給送カセットを引き出した状態を示す斜視図である。
【図４】（ａ）は、第１実施形態に係る給送カセットを上方から見た斜視図であり、（ｂ）は、給送カセットを下方から見た斜視図である。
【図５】第１実施形態に係る装置本体の内部構造の一部を模式的に示す斜視図である。
【図６】（ａ）は、第１実施形態に係る給送カセットを装置本体から引き出した状態の図３に示すＡ−Ａ矢視断面図であり、（ｂ）は、図３に示すＢ−Ｂ矢視断面図である。
【図７】（ａ）は、第１実施形態に係る給送カセットが位置決めピンにより装置本体に固定される直前の状態の図３に示すＡ−Ａ矢視断面図であり、（ｂ）は、図３に示すＢ−Ｂ矢視断面図である。
【図８】（ａ）は、第１実施形態に係る給送カセットが位置決めピンにより装置本体に固定された状態の図３に示すＡ−Ａ矢視断面図であり、（ｂ）は、図３に示すＢ−Ｂ矢視断面図である。
【図９】（ａ）は、第２実施形態に係る給送カセットを上方から見た斜視図であり、（ｂ）は、給送カセットを下方から見た斜視図である。
【図１０】第２実施形態に係る装置本体の内部構造の一部を模式的に示す斜視図である。
【図１１】（ａ）は、第２実施形態に係る給送カセットを装置本体から引き出した状態の図３に示すＡ−Ａ矢視断面図であり、（ｂ）は、図３に示すＢ−Ｂ矢視断面図である。
【図１２】（ａ）は、第２実施形態に係る給送カセットが位置決めピンにより装置本体に固定される直前の状態の図３に示すＡ−Ａ矢視断面図であり、（ｂ）は、図３に示すＢ−Ｂ矢視断面図である。
【図１３】（ａ）は、第２実施形態に係る給送カセットが位置決めピンにより装置本体に固定された状態の図３に示すＡ−Ａ矢視断面図であり、（ｂ）は、図３に示すＢ−Ｂ矢視断面図である。
【図１４】従来例に係る給送カセットを給送装置本体に装着する状態を示す図である。
【手続補正２】
【補正対象書類名】明細書
【補正対象項目名】００１９
【補正方法】変更
【補正の内容】
【００１９】
図４（ａ）及び図４（ｂ）に示すように、給送カセット４は、シートＳを収容するカセット本体４０と、位置決め手段の嵌合突起としての第１位置決めピン４１及び第２位置決めピン４２と、規制手段の被案内部材としてのインナレール４３，４４と、を備えている。また、給送カセット４は、インナベアリング４５，４６と、規制手段の被案内部材としてのインナスペーサ４７，４８と、を備えている。
【手続補正３】
【補正対象書類名】明細書
【補正対象項目名】００２３
【補正方法】変更
【補正の内容】
【００２３】
図５に示すように、装置本体５は、給送カセット４を収容する筐体５０と、位置決め手段の嵌合穴としての第１位置決め穴５１及び第２位置決め穴５２と、規制手段の案内部材としてのアウタレール５３，５４と、を備えている。また、装置本体５は、アウタベアリング５５，５６と、規制手段の案内部材としてのアウタスペーサ５７，５８と、を備えている。
【手続補正４】
【補正対象書類名】明細書
【補正対象項目名】００２５
【補正方法】変更
【補正の内容】
【００２５】
アウタレール５３，５４は、筐体５０の下面に、スライド方向Ｘに延設されており、インナレール４３，４４が係合したカセット本体４０（給送カセット４）をシート給送位置に案内する。また、アウタレール５３には、スライド方向Ｘにおける奥Ｘ２側に解除部としての第２穴部６０ａ，６０ｂが形成されている（後述の図８（ｂ）参照）。第２穴部６０ａ，６０ｂは、第１位置決めピン４１及び第２位置決めピン４２が第１位置決め穴５１及び第２位置決め穴５２に嵌合を開始する嵌合開始位置から嵌合位置までの間において、インナスペーサ４７，４８と対向する位置に形成されている。つまり、嵌合開始位置から嵌合位置までは、インナスペーサ４７，４８は、アウタレール５３，５４に案内（規制）されないようになっている。第２穴部６０ａ，６０ｂのスライド方向Ｘにおける手前Ｘ１側には、スロープ５３ａ，５３ｂが形成されている。スロープ５３ａ，５３ｂは、スライド方向Ｘにおける奥Ｘ２側に広がるように形成されており、給送カセット４を引き出す際にインナスペーサ４７，４８がアウタレール５３，５４に引っ掛かってカセット本体４０が係止することを防止するために設けられている。
【手続補正５】
【補正対象書類名】明細書
【補正対象項目名】００２７
【補正方法】変更
【補正の内容】
【００２７】
次に、インナスペーサ４７，４８とアウタレール５３との隙間及びアウタスペーサ５７，５８とインナレール４３との隙間について、図６（ａ）から図８（ｂ）を参照しながら説明する。図６（ａ）は、第１実施形態に係る給送カセット４を装置本体５から引き出した状態の図３に示すＡ−Ａ矢視断面図である。図６（ｂ）は、図３に示すＢ−Ｂ矢視断面図である。図７（ａ）は、第１実施形態に係る給送カセット４が位置決めピンにより装置本体５に固定される直前の状態の図３に示すＡ−Ａ矢視断面図である。図７（ｂ）は、図３に示すＢ−Ｂ矢視断面図である。図８（ａ）は、第１実施形態に係る給送カセット４が位置決めピンにより装置本体に固定された状態の図３に示すＡ−Ａ矢視断面図である。図８（ｂ）は、図３に示すＢ−Ｂ矢視断面図である。
【手続補正６】
【補正対象書類名】明細書
【補正対象項目名】００３８
【補正方法】変更
【補正の内容】
【００３８】
次に、インナスペーサ４７，４８とアウタレール５３との隙間及びアウタスペーサ５７，５８とインナレール４３Ａとの隙間について、図１１（ａ）から図１３（ｂ）を参照しながら説明する。図１１（ａ）は、第２実施形態に係る給送カセット４を装置本体５から引き出した状態の図３に示すＡ−Ａ矢視断面図である。図１１（ｂ）は、図３に示すＢ−Ｂ矢視断面図である。図１２（ａ）は、第２実施形態に係る給送カセット４が位置決めピン４２Ａにより装置本体５に固定される直前の状態の図３に示すＡ−Ａ矢視断面図である。図１２（ｂ）は、図３に示すＢ−Ｂ矢視断面図である。図１３（ａ）は、第２実施形態に係る給送カセット４が位置決めピン４２Ａにより装置本体５に固定された状態の図３に示すＡ−Ａ矢視断面図である。図１３（ｂ）は、図３に示すＢ−Ｂ矢視断面図である。
【手続補正７】
【補正対象書類名】明細書
【補正対象項目名】００４７
【補正方法】変更
【補正の内容】
【００４７】
１    画像形成装置
２    画像形成装置本体
３    シート給送装置
４    給送カセット
５    装置本体
２２    画像形成部
４１    第１位置決めピン（嵌合突起）
４２    第２位置決めピン（嵌合突起）
４３，４４    インナレール（被案内部材）
４７，４８    インナスペーサ（被案内部材）
５１    第１位置決め穴（嵌合穴）
５２    第２位置決め穴（嵌合穴）
５３，５４    アウタレール（案内部材）
５７，５８    アウタスペーサ（案内部材）
６０ａ，６０ｂ    第２穴部（解除部）
６１ａ，６１ｂ    第１穴部（解除部）
【手続補正８】
【補正対象書類名】図面
【補正対象項目名】図８
【補正方法】変更
【補正の内容】
【図８】
2013028466.tif 000001